(57)【特許請求の範囲】
【請求項１】
第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、
上部キャップは、頂壁と、頂壁とともに内方に収納容器を保持する内筒と、外筒とからなり、内筒の下端に底蓋を押し下げる押下げ突部を垂設しており、
下部キャップは、上部に上部キャップを装着する内筒と、上壁と、容器本体の口筒部に被嵌される外筒とからなり、内筒の内周下部には、上面に上向き破断刃を立設した突部が配設されており、
下部キャップの内筒の下端には、先端部がレの字形に折れ曲がった吊り下げ部材が垂設されており、
底蓋は、下部キャップの内筒の下部内周に係合する周壁と、周壁の内周に連設された底壁とを具え、周壁の外周下端に、所定の位置に下部キャップの吊り下げ部材が嵌通する係合孔が穿設されているフランジが設けられていることを特徴とする二剤混合容器。
【請求項２】
第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、
上部キャップは、頂壁と、頂壁とともに内方に収納容器を保持する内筒と、外筒とからなり、内筒の下端に底蓋を押し下げる押下げ突部を垂設しており、
下部キャップは、上部に上部キャップを装着する内筒と、上壁と、容器本体の口筒部に被嵌される外筒とからなり、内筒の内周下部には、上面に上向き破断刃を立設した突部が配設されているとともに、内筒の内周下端には、拡径された係合部が設けられており、
底蓋が、下部キャップの係合部に係合するリング状の係合筒と、蓋体とからなり、
係合筒と蓋体が、ヒンジを介して連設されていることを特徴とする二剤混合容器。
【請求項３】
第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、
上部キャップは、頂壁と、頂壁とともに内方に収納容器を保持する内筒と、外筒とからなり、内筒の下端に底蓋を押し下げる押下げ突部を垂設しており、
下部キャップは、上部に上部キャップを装着する内筒と、上壁と、容器本体の口筒部に被嵌される外筒とからなり、内筒の内周下部には、上面に上向き破断刃を立設した突部が配設されているとともに、内筒の下端外周には、縮径された係合部が設けられており、
底蓋が、下部キャップの係合部に係合するリング状の係合筒と、係合筒の内周に連設される蓋体とからなり、
係合筒と蓋体とは、連結片と複数の破断可能な弱化片によって連設されていることを特徴とする二剤混合容器。
【請求項４】
下部キャップの内筒の下端内周に、係合凹部が設けられ、
底蓋の蓋体は、係合周壁と、係合周壁の上端内周に連設された底壁とを具え、
係合周壁の外周に、下部キャップの係合凹部と係合する係合突条が設けられていることを特徴とする請求項３記載の二剤混合容器。
【請求項５】
上部キャップの外筒の下端には、封緘帯が連設されており、
第二剤の収納容器は、上部キャップに保持される容器部と、容器部に装着され、下部キャップの内筒の下端内周の突部の上向き破断刃により、切断開口されるシートとからなっていることを特徴とする請求項１〜４のいずれか一項に記載の二剤混合容器。
【請求項６】
第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、
上部キャップは、頂壁と、頂壁とともに内方に収納容器を保持する内筒と、外筒とからなり、内筒の下端に底蓋を押し下げる押下げ突部を垂設しており、
下部キャップは、上部に上部キャップを装着する内筒と、上壁と、容器本体の口筒部に被嵌される外筒とからなり、内筒の内周下部には、上面に上向き破断刃を立設した突部が配設されるとともに、底蓋が装着されており、
底蓋の底壁がドーム状に形成され、
底壁に、下部キャップの内筒内周の突部と係合する位置合せ凹部が凹設されていることを特徴とする二剤混合容器。
【請求項７】
第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、
上部キャップは、頂壁と、頂壁とともに内方に収納容器を保持する内筒と、外筒とからなり、内筒の下端に底蓋を押し下げる押下げ突部を垂設しており、
下部キャップは、上部に上部キャップを装着する内筒と、上壁と、容器本体の口筒部に被嵌される外筒とからなり、内筒の内周下部には、上面に上向き破断刃を立設した突部が配設されるとともに、底蓋が装着されており、
下部キャップの内筒内周の上向き破断刃の内周に、縦リブを配設したことを特徴とする二剤混合容器。
【請求項８】
第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、
上部キャップは、頂壁と、頂壁とともに内方に収納容器を保持する内筒と、外筒とからなり、内筒の下端に底蓋を押し下げる押下げ突部を垂設しており、
下部キャップは、上部に上部キャップを装着する内筒と、上壁と、容器本体の口筒部に被嵌される外筒とからなり、内筒の内周下部には、上面に上向き破断刃を立設した突部が配設されるとともに、底蓋が装着されており、
上部キャップの内筒下端の所定の位置に、下端が所定の方向に傾斜する傾斜部を形成した回り止め突部が垂設されていることを特徴とする二剤混合容器。
【請求項９】
請求項１〜５のいずれか一項に記載の二剤混合容器において、
底蓋の底壁がドーム状に形成され、
底壁に、下部キャップの内筒内周の突部と係合する位置合せ凹部が凹設されていることを特徴とする二剤混合容器。
【請求項１０】
請求項１〜５、９のいずれか一項に記載の二剤混合容器において、
下部キャップの内筒内周の上向き破断刃の内周に、縦リブを配設したことを特徴とする二剤混合容器。
【請求項１１】
請求項１〜５、９、１０のいずれか一項に記載の二剤混合容器において、
上部キャップの内筒下端の所定の位置に、下端が所定の方向に傾斜する傾斜部を形成した回り止め突部が垂設されていることを特徴とする二剤混合容器。
【発明の詳細な説明】
【技術分野】
【０００１】
本発明は、分離して収納した二剤を簡単な操作で混合できるようにした二剤混合容器に関するものである。
【背景技術】
【０００２】
二剤混合容器として、第一剤を容器本体に収納し、第二剤を容器本体の口筒部上方に装着され、下端開口をアルミシールで封止した逆カップ状の容器に収納し、アルミシールを破断刃によって破断し、二剤を混合させるようにした混合容器は、従来より知られている（例えば、特許文献１参照）。
【特許文献１】実公平６−３４３１５号
【発明の開示】
【発明が解決しようとする課題】
【０００３】
しかしながら、上記特許文献１記載の混合容器では、容器本体内に、第一剤として液体が入っていると、運搬時の振動による内容液のウォーターハンマー現象、或いは、容器を取り落としたときの内容液のウォーターハンマー現象等によって、アルミシールが破断されるというおそれがあった。
【０００４】
また、容器本体に収納した液が、混合容器の保存中に、温度の上昇、或いは発酵、炭酸ガスの発生等により、容器内の圧力が上昇することがあった。
そのため、シールを破断するおそれがあり、薄肉のプラスチック製シールは使えないという問題があった。
【０００５】
本発明は、上記の問題を解決することを課題として、第二剤を収納したコップ状容器のシール面を、容器本体に収納した内容液のウォーターハンマー現象や、内圧の上昇によって破断されることを防止するようにした二剤混合容器を提供することを目的とする。
【課題を解決するための手段】
【０００６】
本発明は、上記の課題を解決するため、二剤混合容器として、第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、上部キャップは、頂壁と、頂壁とともに内方に収納容器を保持する内筒と、外筒とからなり、内筒の下端に底蓋を押し下げる押下げ突部を垂設しており、下部キャップは、上部に上部キャップを装着する内筒と、上壁と、容器本体の口筒部に被嵌される外筒とからなり、内筒の内周下部には、上面に上向き破断刃を立設した突部が配設されており、下部キャップの内筒の下端には、先端部がレの字形に折れ曲がった吊り下げ部材が垂設されており、底蓋は、下部キャップの内筒の下部内周に係合する周壁と、周壁の内周に連設された底壁とを具え、周壁の外周下端に、所定の位置に下部キャップの吊り下げ部材が嵌通する係合孔が穿設されているフランジが設けられていることを特徴とする構成を採用する。
【０００７】
本発明の二剤混合容器の別実施例として、第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、上部キャップは、頂壁と、頂壁とともに内方に収納容器を保持する内筒と、外筒とからなり、内筒の下端に底蓋を押し下げる押下げ突部を垂設しており、下部キャップは、上部に上部キャップを装着する内筒と、上壁と、容器本体の口筒部に被嵌される外筒とからなり、内筒の内周下部には、上面に上向き破断刃を立設した突部が配設されているとともに、内筒の内周下端には、拡径された係合部が設けられており、底蓋が、下部キャップの係合部に係合するリング状の係合筒と、蓋体とからなり、係合筒と蓋体が、ヒンジを介して連設されていることを特徴とする構成を採用する。
【０００８】
本発明の二剤混合容器のさらなる別実施例として、第一剤を収納した容器本体と、容器本体の口筒部に装着される上部キャップと下部キャップとからなるキャップと、下部キャップに装着された底蓋と、上部キャップ内に保持され第二剤を収納し、開口端をシールした収納容器とからなる二剤混合容器であって、上部キャップは、頂壁と、頂壁とともに内方に収納容器を保持する内筒と、外筒とからなり、内筒の下端に底蓋を押し下げる押下げ突部を垂設しており、下部キャップは、上部に上部キャップを装着する内筒と、上壁と、容器本体の口筒部に被嵌される外筒とからなり、内筒の内周下部には、上面に上向き破断刃を立設した突部が配設されているとともに、内筒の下端外周には、縮径された係合部が設けられており、底蓋が、下部キャップの係合部に係合するリング状の係合筒と、係合筒の内周に連設される蓋体とからなり、係合筒と蓋体とは、連結片と複数の破断可能な弱化片によって連設されていることを特徴とする構成を採用する。
【０００９】
底蓋の別実施例として、下部キャップの内筒の下端内周に、係合凹部が設けられ、底蓋の蓋体は、係合周壁と、係合周壁の上端内周に連設された底壁とを具え、係合周壁の外周に、下部キャップの係合凹部と係合する係合突条が設けられていることを特徴とする構成を採用する。
【００１０】
本発明の二剤混合容器の具体的実施形態として、上部キャップの外筒の下端には、封緘帯が連設されており、第二剤の収納容器は、上部キャップに保持される容器部と、容器部に装着され、下部キャップの内筒の下端内周の突部の上向き破断刃により、切断開口されるシートとからなっていることを特徴とする構成を採用する。
【００１１】
底蓋の底壁の一つの実施例として、底蓋の底壁がドーム状に形成され、底壁に、下部キャップの内筒内周の突部と係合する位置合せ凹部が凹設されていることを特徴とする構成を採用する。
【００１２】
下部キャップの内筒内周の上向き破断刃の実施例として、下部キャップの内筒内周の上向き破断刃の内周に、縦リブを配設したことを特徴とする構成を採用する。
【００１３】
上部キャップの内筒の一つの実施例として、上部キャップの内筒下端の所定の位置に、下端が所定の方向に傾斜する傾斜部を形成した回り止め突部が垂設されていることを特徴とする構成を採用する。
【発明の効果】
【００１４】
本発明の二剤混合容器は、キャップの上部キャップの下方に底蓋を装着することにより、容器本体の運搬時の振動による内容液の揺れ、または、温度上昇、内容物による内圧の上昇で、第二剤収納容器のシートが破損し不用意に第二剤と第一剤が混合することを防止することができる。
また、上部キャップを下部キャップに対して回転させ下降させることにより、第二剤を収納した収納容器のシートを破断して開口するとともに、底蓋を開口させ、第二剤を容器本体内に落下させ、第一剤と混合することができる。
【発明を実施するための最良の形態】
【００１５】
次に、本発明の二剤混合容器について、実施例をあげ、図面を参照して説明する。
【実施例１】
【００１６】
図１において、Ａは液体または粉体等の第一剤を収納した容器本体、Ｂは容器本体Ａに装着されるキャップ、ＣはキャップＢ内に保持される液体、または粉体等の第二剤を収納した収納容器である。
容器本体Ａは、上部に口筒部１を具えており、口筒部１外周には、ねじ２が螺設されている。
【００１７】
キャップＢは、図１に示すように、上部キャップＢ１と下部キャップＢ２とから構成され、下部キャップＢ２には、底蓋Ｂ３が装着されている。
【００１８】
上部キャップＢ１は、頂壁５と、頂壁５下面に垂設された内筒６と、頂壁５周縁から垂設された外筒７とからなっている。
【００１９】
内筒６の内周には、頂壁５下面とともに収納容器Ｃを保持するリブなどの保持部８が設けられており、内筒６の下端面の所定の位置には、押下げ突部９が垂設されている
【００２０】
外筒７の内周には、ねじ１０が設けられ、外筒７の下端には、等間隔をおいて配設された切断可能な複数の連結片１１を介して封緘帯１２が連設されており、封緘帯１２の外周の一部にはつまみ部１３が設けられ、つまみ部１３に隣接して、容易に切断可能な連結片、または切断可能な薄肉部により、上下方向に延びる弱化部（図示はしない）が設けられている。
【００２１】
実施例では、封緘帯１２を、連結片１１を介して外筒７に連設しているが、外筒７の下端と下部キャップ上壁の間に挿入されるつまみ部を設けたスペーサー等を用いてもよい。
【００２２】
下部キャップＢ２は、内筒１５と、内筒１５の外周の所定の位置に連設されたリング状の上壁１６と、上壁１６外縁から垂設された外筒１７とからなっている。
【００２３】
内筒１５の外周上部には、上部キャップＢ１の外筒７内周のねじ１０に螺合するねじ１８が設けられている。
内筒１５の内周下部の所定の位置には、突部１９が内方に向かって突設されており、突部１９の先端上部には、上向き破断刃２０が立設されている。
【００２４】
内筒１５の突部１９が突設された同方向の下端面には、先端部２１が外方に向かいレの字形に形成された吊り下げ部材２２が垂設されている。
【００２５】
外筒１７の内周には、容器本体Ａの口筒部１のねじ２に螺合するねじ２３が設けられている。
【００２６】
底蓋Ｂ３はＰＰなどを素材として形成されており、外周が下部キャップＢ２の内筒１５内周に係合する周壁２５と、周壁２５の下端内周に連設された内方が上方に湾曲されたドーム形の底壁２６と、周壁２５の下端外周に連設されたフランジ２７とからなっている。
【００２７】
周壁２５の上端の所定の位置には、下部キャップＢ２の内筒１５内周の突部１９の下面、および側面と係合する係合凹部２８が切り込まれている。
フランジ２７の所定の位置には、下部キャップＢ２の内筒１５下端に垂設された吊り下げ部材２２と係合する係合孔２９が穿設され、フランジ２７の係合孔２９の外周側は引っ掛かり部３０となっている。
【００２８】
第二剤の収納容器Ｃは、上部キャップＢ１の内筒６内部に保持部８を介して保持される容器部３５と、容器部３５の開口に設けられたフランジ３６とを具え、該フランジ３６には、第二剤の収納後に薄肉のシート３７が貼着される。
【００２９】
次に、本実施例の二剤混合容器の使用態様と作用効果について説明する。
まず始めに、二剤混合容器の組立方法について説明する。
【００３０】
図１に示すように、第二剤を収納した収納容器Ｃを、上部キャップＢ１の内筒６内方に保持させる。
次いで、上部キャップＢ１を下部キャップＢ２の内筒１５上部に装着する。
その際、上部キャップＢ１の外筒７内周のねじ１０と下部キャップＢ２の内筒１５上部外周のねじ１８が螺合することにより、上部キャップＢ１が下部キャップＢ２に対して下降し、上部キャップＢ１の外筒７下端に連設された封緘帯１２の下端が、下部キャップＢ２の上壁１６の上面に当接することにより、下降が止められる。
【００３１】
さらに、下部キャップＢ２の内筒１５下端の吊り下げ部材２２を底蓋Ｂ３のフランジ２７の係合孔２９に挿入しながら、内筒１５内周下端に底蓋Ｂ３の周壁２５を嵌入させ、装着して、底蓋Ｂ３を装着したキャップＢが形成される。
その際、底蓋Ｂ３の周壁２５上端の係合凹部２８と、下部キャップＢ２の内筒１５内周の突部１９とが係合するとともに、底蓋Ｂ３のフランジ２７の引っ掛かり部３０の下方に、下部キャップＢ２の吊り下げ部材２２の先端部２１が位置するようになっている。
【００３２】
最後に、第一剤を収納した容器本体Ａの口筒部１に、底蓋Ｂ３を装着したキャップＢを螺着し、閉蓋させる。
その際、下部キャップＢ２の外筒１７のねじ２３と、容器本体Ａの口筒部１のねじ２とが螺合する。
以上のようにして、二種類の内容物を収納した二剤混合容器が得られる。
【００３３】
本実施例の二剤混合容器では、下部キャップＢ２の下部に底蓋Ｂ３を装着することにより、運搬時に、容器本体Ａ内の第一剤が激しく揺さぶられたり、温度上昇、第一剤の変化による内圧上昇があったとしても、底蓋Ｂ３の底壁２６によって第二剤の収納容器Ｃのシート３７を破損開口し、第二剤が洩れることを防止している。
【００３４】
二剤混合容器の使用にあたっては、まず始めに、上部キャップＢ１の封緘帯１２のつまみ部１３を手指等で引張って、弱化部および連結片１１を引裂き、上部キャップＢ１の外筒７下端から封緘帯１２を外す。
次に、上部キャップＢ１を、下部キャップＢ２に対して回転させると、螺合により上部キャップＢ１は下降する。
【００３５】
上部キャップＢ１が下部キャップＢ２に対して回転しながら下降することにより、図２に示すように、上部キャップＢ１の内筒６下端に垂設した押下げ突部９が、底蓋Ｂ３の周壁２５上端面に当接し、底蓋Ｂ３を、下部キャップＢ２の内筒１５内周下端から徐々に押し下げていく。
【００３６】
また、上部キャップＢ１の内筒６内方に保持されている第二剤の収納容器Ｃも、上部キャップＢ１とともに回転しながら下降することによって、所定の高さから、収納容器Ｃのシート３７下面に、下部キャップＢ２の内筒１５内周下端の突部１９の上向き破断刃２０が当接し、上向き破断刃２０は回転しながらシート３７を切断していく。
【００３７】
収納容器Ｃのシート３７が切断されることにより、切断部から収納容器Ｃ内の第二剤が、底蓋Ｂ３の底壁２６上面に落ちていく。
【００３８】
さらに、上部キャップＢ１を回転させると、押下げ突部９が下降し、底蓋Ｂ３の周壁２５と下部キャップＢ２の内筒１５内周下端との係合が完全に外され、図３に示すように、底蓋Ｂ３が下方に落とされ、下部キャップＢ２の内筒１５内周下端が開口されるとともに、底蓋Ｂ３の底壁２６上面の第二剤が容器本体Ａ内に落ち、第一剤と混合される。
【００３９】
底蓋Ｂ３は、下部キャップＢ２の内筒１５内周下端から外れた後、フランジ２７の引っ掛かり部３０に下部キャップＢ２の吊り下げ部材２２の先端部２１が引っ掛かり、容器本体Ａ内に落ちることを防止している。
【００４０】
上部キャップＢ１の下部キャップＢ２に対しての回転は、螺合の完了とともに終了させることもできるが、上部キャップＢ１の押下げ突部９の側面が、下部キャップＢ２の内筒１５内周下端に突設された突部１９の側面に当接することで、回転を終了させることができる。
【００４１】
また、収納容器Ｃのシート３７は、上部キャップＢ１の回転により所定の高さから切断され始め、回転が止まることにより切断が終わるので、一部に未切断部を残し、シート３７の切断部を垂れ下がらせて開口することができる。
【００４２】
第二剤の収納容器Ｃのシート３７が開口するとともに、下部キャップＢ２の内筒１５下端より底蓋Ｂ３が外れて開口することにより、収納容器Ｃ内の第二剤を最後まで容器本体Ａ内に落とすことができる。  
【００４３】
二剤を混合した液体等を使用する際には、下部キャップＢ２の外筒１７を把持して回転させることによって、キャップＢを容器本体Ａの口筒部１から取外し、容器本体Ａを傾けると、口筒部１から二剤を混合した液体等を注出することができる。
【実施例２】
【００４４】
次に、第１実施例のキャップの下部キャップの内筒下端と底蓋の構成を変えた第２実施例について説明する。
本実施例の第１実施例と同一の構成部分には、同一の符号を付して図示し、詳しい説明を省略し、相違点を中心に説明する。  
【００４５】
図４において、Ａは液体または粉体等の第一剤を収納した容器本体、Ｂａは容器本体Ａに装着されるキャップ、ＣはキャップＢ内に保持される液体または粉体等の第二剤を収納した収納容器である。
キャップＢａは、上部キャップＢ１ａと下部キャップＢ２ａとから構成され、下部キャップＢ２ａには開口可能な底蓋Ｄが装着されている。
【００４６】
下部キャップＢ２ａの内筒１５ａ内周下端部には、拡径された係合部４０が設けられており、係合部４０の内周下端には、係合突条４１が突設されている。
【００４７】
底蓋Ｄは、リング状の係合筒Ｄ１と、係合筒Ｄ１の所定の位置にヒンジＤ２を介して連設される蓋体Ｄ３とから構成されている。
【００４８】
係合筒Ｄ１は、外周が下部キャップＢ２ａの内筒１５ａの係合部４０に係合する周壁４５と、周壁４５の外周上端に突設され、係合部４０の係合突条４１と係合する係合突条４６と、周壁４５の外周下端に連設され、外周下部の所定の位置にヒンジＤ２を連接したフランジ４７とを具えている。
【００４９】
蓋体Ｄ３は、外周が係合筒Ｄ１の周壁４５内周に係合する係合周壁５０と、係合周壁５０の下端内周に連設された内方が上方に湾曲されたドーム形の底壁５１と、係合周壁５０の下端外周に連設され、外周上部の所定の位置でヒンジＤ２に連接され、上面が係合筒Ｄ１のフランジ４７下面と係合するフランジ５２とからなっている。
【００５０】
次に、本実施例の二剤混合容器の作用効果について説明する。
キャップＢａの形成については、まず始めに、上部キャップＢ１ａを下部キャップＢ２ａの内筒１５ａ上部に装着する。
次いで、下部キャップＢ２ａの内筒１５ａ内周下端に、係合筒Ｄ１の周壁４５内周に蓋体Ｄ３の係合周壁５０を係合させ、閉蓋した底蓋Ｄを装着することで、キャップＢａが形成される。
【００５１】
その際、下部キャップＢ２ａの内筒１５ａ内周下端部の係合部４０の係合突条４１と、底蓋Ｄの係合筒Ｄ１の周壁４５の係合突条４６とが係合し、下部キャップＢ２ａから底蓋Ｄ３が抜け落ちることを防止している。
【００５２】
本実施例の二剤混合容器では、下部キャップＢ２ａの下部に底蓋Ｄを装着することにより、運搬時に、容器本体Ａ内の第一剤が激しく揺さぶられたり、温度上昇や第一剤の変化による内圧上昇があったとしても、底蓋Ｄの底壁５１によって、第二剤の収納容器Ｃのシート３７を破損して開口することを防止している。
【００５３】
本実施例は、上部キャップＢ１ａが下部キャップＢ２ａに対して回転しながら下降することにより、上部キャップＢ１ａの内筒６下端に垂設した押下げ突部９が、底蓋Ｄの蓋体Ｄ３の係合周壁５０上端面に当接し、蓋体Ｄ３を係合筒Ｄ１の周壁４５内周から徐々に押し下げていく。
【００５４】
さらに、上部キャップＢ１ａを回転させ、押下げ突部９を下降させることにより、底蓋Ｄの蓋体Ｄ３の係合周壁５０外周と係合筒Ｄ１の周壁４５内周との係合が完全に外され、図５に示すように、蓋体Ｄ３のヒンジＤ２の反対側を係合筒Ｄ１から下方に落とし、底蓋Ｄが開口される。
この底蓋Ｄの開口より、収納容器Ｃの切断部から落ちた第二剤が容器本体Ａ内に落ち、第一剤に混合される。
【００５５】
底蓋Ｄの蓋体Ｄ３は、係合筒Ｄ１より外れた後、係合筒Ｄ１に連設されたヒンジＤ２を介して容器本体Ａ内に落ちることを防止している。
その他の作用効果は、実施例１と同じである。
【実施例３】
【００５６】
次に、第１実施例のキャップの下部キャップの内筒下端と底蓋の構成を変えた第３実施例について説明する。
本実施例の第１実施例と同一の構成部分には、同一の符号を付して図示し、詳しい説明を省略し、相違点を中心に説明する。  
【００５７】
図６において、Ａは液体または粉体等の第一剤を収納した容器本体、Ｂｂは容器本体Ａに装着されるキャップ、ＣはキャップＢｂ内に保持される液体または粉体等の第二剤を収納した収納容器である。
キャップＢｂは、上部キャップＢ１ｂと下部キャップＢ２ｂとから構成され、下部キャップＢ２ｂには、底蓋Ｅが装着されている。
【００５８】
下部キャップＢ２ｂは、内筒１５ｂと、内筒１５ｂの外周の所定の位置に連設されたリング状の上壁１６ｂと、上壁１６ｂ外縁から垂設された外筒１７ｂとからなっている。
内筒１５ｂの下部外周は縮径されており、下端外周には、係合突条５５が突設されている。
【００５９】
底蓋Ｅは、係合筒Ｅ１と、係合筒Ｅ１の下端内周に、連結片６０と複数の破断可能な弱化片６１とを介して連設された蓋体Ｅ２とから構成されている。
係合筒Ｅ１の内周上端には、下部キャップＢ２ｂの内筒１５ｂの係合突条５５上面に下面が係合する係合突条６２が突設されている。
【００６０】
蓋体Ｅ２は、外周が下部キャップＢ２ｂの内筒１５ｂ内周に係合する係合周壁６３と、係合周壁６３の下端内周に連設された底壁６４と、係合周壁６３の下端外周に連設され、外周の所定の位置で連結片６０および弱化片６１に連接され、上面が下部キャップＢ２ｂの内筒１５ｂ下端面と係合するフランジ６５とからなっている。
底壁６４は、実施例１と同様に、内方が上方に湾曲されたドーム形としてもよい。
【００６１】
次に、本実施例の二剤混合容器の作用効果について説明する。
キャップＢｂの形成については、まず始めに、第二剤を収納した収納容器Ｃを内方に保持させた上部キャップＢ１ｂを下部キャップＢ２ｂの内筒１５ｂ上部に装着する。
次いで、下部キャップＢ２ｂの内筒１５ｂ内周に、底蓋Ｅの蓋体Ｅ２の係合周壁６３を挿入するとともに、内筒１５ｂ外周下端の係合突条５５に、底蓋Ｅの係合筒Ｅ１の内周上端の係合突条６２を係合させることで、底蓋Ｅを下部キャップＢ２ｂに装着したキャップＢｂが形成される。
【００６２】
下部キャップＢ２ｂの内筒１５ｂ外周下端の係合突条５５と、底蓋Ｅの係合筒Ｅ１の係合突条６２とが係合することで、下部キャップＢ２ｂから底蓋Ｅの係合筒Ｅ１が抜け落ちることを防止している。
【００６３】
本実施例の二剤混合容器では、下部キャップＢ２ｂの内筒１５ｂ下部に底蓋Ｅを装着することにより、運搬時に、容器本体Ａ内の第一剤が激しく揺さぶられたり、温度上昇や第一剤の変化による内圧上昇があったとしても、底蓋Ｅの蓋体Ｅ２によって、第二剤の収納容器Ｃのシート３７を破損して開口することを防止している。
【００６４】
本実施例は、上部キャップＢ１ｂが下部キャップＢ２ｂに対して回転しながら下降することにより、上部キャップＢ１ｂの内筒６下端に垂設した押下げ突部９が、底蓋Ｅの蓋体Ｅ２の係合周壁６３上端面に当接し、蓋体Ｅ２を下部キャップＢ２ｂの内筒１５ｂの内周から徐々に押し下げていく。
【００６５】
上部キャップＢ１ｂを回転させ、押下げ突部９を下降させることにより、底蓋Ｅの蓋体Ｅ２が、係合筒Ｅ１との間の弱化片６１を切断しながら下降する。
さらに、蓋体Ｅ２の係合周壁６３外周と下部キャップＢ２ｂの内筒１５ｂの内周の係合が完全に外され、図７に示すように、底蓋Ｅの連結片６０を支点とし、蓋体Ｅ２の連結片６０の反対側を係合筒Ｅ１から下方に落とし、底蓋Ｅが開口される。
この底蓋Ｅの開口より、収納容器Ｃの切断部から落ちた第二剤が容器本体Ａ内に落ち、第一剤に混合される。
【００６６】
底蓋Ｅの蓋体Ｅ２は、係合筒Ｅ１より外れた後、係合筒Ｅ１に連設された連結片６０を介して容器本体Ａ内に落ちることを防止している。
その他の作用効果は、実施例１と同じである。
【実施例４】
【００６７】
次に、キャップと底蓋の構成を変えた第４実施例について説明する。
本実施例の第１、および第３実施例と同一の構成部分には、同一の符号を付して図示して詳しい説明を省略し、相違点を中心に説明する。  
【００６８】
図８において、Ａは液体または粉体等の第一剤を収納した容器本体、Ｂｃは容器本体Ａに装着されるキャップ、ＣはキャップＢｃ内に保持される液体、または粉体等の第二剤を収納した収納容器である。
キャップＢｃは、上部キャップＢ１ｃと下部キャップＢ２ｃとから構成され、下部キャップＢ２ｃには、底蓋Ｆが装着されている。
【００６９】
図８、９に示すように、上部キャップＢ１ｃの内筒６の下端面の所定の位置には、押下げ突部９の他に、下端が所定の方向に傾斜する傾斜部７０ａを形成した回り止め突部７０が垂設されている
【００７０】
下部キャップＢ２ｃは、内筒１５ｃと、内筒１５ｃの外周の所定の位置に連設されたリング状の上壁１６ｃと、上壁１６ｃ外縁から垂設された外筒１７ｃと、上壁１６ｃ下面に垂設され、外周が容器本体Ａの口筒部１内周と係合し、容器本体Ａ内を密閉する係合筒７５とからなっている。
【００７１】
内筒１５ｃの下部外周は縮径されており、下端の外周には、係合突条７６が突設され、内周には、係合凹部７７が凹設されている。
内筒１５ｃの内周の所定の位置には、突部１９ｃが内方に向かって突設されており、突部１９ｃの先端上部には、上向き破断刃２０ｃが立設され、上向き破断刃２０ｃの内周には、縦リブ７８が突設されている。
【００７２】
底蓋Ｆは、係合筒Ｆ１と、係合筒Ｆ１の下端内周に、連結片８０と破断可能な弱化片８１とを介して連設された蓋体Ｆ２とから構成されている。
係合筒Ｆ１の内周上端には、下部キャップＢ２ｃの内筒１５ｃの係合突条７６上面に、下面が係合する係合突条８２が突設されている。
【００７３】
蓋体Ｆ２は、外周が下部キャップＢ２ｃの内筒１５ｃ内周に係合する係合周壁８３と、係合周壁８３の上端内周に連設されたドーム形の底壁８４と、係合周壁８３の下端外周に連設されるフランジ８５とからなっている。
【００７４】
係合周壁８３の外周には、内筒１５ｃ内周の係合凹部７７と係合する係合突条８６が配設されている。
【００７５】
底壁８４には、蓋体Ｆ２を下部キャップＢ２ｃに装着した際、下部キャップＢ２ｃの内筒１５ｃの突部１９ｃ、および縦リブ７８の下部の形状に係合する位置合せ凹部８７が形成されている。
【００７６】
次に、本実施例の二剤混合容器の作用効果について説明する。
キャップＢｃの形成については、第二剤を収納した収納容器Ｃを内方に保持させた上部キャップＢ１ｃを、下部キャップＢ２ｃの内筒１５ｃ上部に装着する。
次いで、内筒１５ｃ内周の突部１９ｃ、および縦リブ７８の下面と、底蓋Ｆの蓋体Ｆ２の底壁８４の位置合せ凹部８７上面とを係合させた位置で、内筒１５ｃ下部に底蓋Ｆを装着して、収納容器Ｃを保持するとともに、底蓋Ｆを装着したキャップＢｃが形成される。
最後に、第一剤を収納した容器本体Ａの口筒部１に、キャップＢｃを螺着し、閉蓋させ、二種類の内容物を収納した二剤混合容器が得られる。
【００７７】
下部キャップＢ２ｃの内筒１５ｃ外周下端の係合突条７６と、底蓋Ｆの係合筒Ｆ１の係合突条８２および内筒１５ｃ内周下端の係合凹部７７と、蓋体Ｆ２の係合突条８６とが係合することによって、下部キャップＢ２ｃから底蓋Ｆが抜け落ちることを防止している。
【００７８】
底蓋Ｆの蓋体Ｆ２の底壁８４に位置合せ凹部８７を凹設したので、下部キャップＢ２ｃに対する底蓋Ｆの位置合わせが明確になるとともに、底壁８４が下部キャップＢ２ｃの突部１９ｃ、および縦リブ７８の下面に当接する位置を低くすることができ、下部キャップＢ２ｃの内筒１５ｃ下部、および底蓋Ｆの全高を低くすることができる。
【００７９】
二剤混合容器の使用にあたっては、まず始めに、上部キャップＢ１ｃの封緘帯１２のつまみ部１３を手指等で引張って、封緘帯１２を外した後、上部キャップＢ１ｃを、下部キャップＢ２ｃに対して回転させ、下降させる。
【００８０】
上部キャップＢ１ｃが下部キャップＢ２ｃに対して回転しながら下降することにより、上部キャップＢ１ｃの内筒６下端に垂設した押下げ突部９が、底蓋Ｆ２の蓋体Ｆ２の係合周壁８３上端面に当接し、蓋体Ｆ２を、係合筒Ｆ１との間の弱化片８１を切断しながら、下部キャップＢ２ｃの内筒１５ｃ内周下端から徐々に押し下げていく。
【００８１】
また、上部キャップＢ１ｃが回転しながら下降することによって、所定の高さから、収納容器Ｃのシート３７下面に、下部キャップＢ２ｃの内筒１５ｃ内周の突部１９ｃの上向き破断刃２０ｃが当接し、上向き破断刃２０ｃは回転しながらシート３７を切断し、切断部から収納容器Ｃ内の第二剤が、蓋体Ｆ２の底壁８４上面に落ちていく。
さらに、上向き破断刃２０ｃの内周に縦リブ７８を設けたので、縦リブ７８の上端が切断部内側のシ−ト３７下面に当接し、押上げ、切断部を押し広げることができる。
【００８２】
上部キャップＢ１ｃを回転させ続けると、蓋体Ｆ２の係合周壁８３と下部キャップＢ２ｃの内筒１５ｃ内周下端との係合が完全に外され、図１０に示すように、底蓋Ｆの連結片８０を支点とし、蓋体Ｆ２の連結片８０の反対側を係合筒Ｆ１から下方に落とし、底蓋Ｆが開口される。
この底蓋Ｆの開口より、収納容器Ｃの切断部から落ちた第二剤が容器本体Ａ内に落ち、第一剤に混合される。
底蓋Ｆの蓋体Ｆ２は、係合筒Ｆ１より外れた後、係合筒Ｆ１に連設された連結片８０を介して容器本体Ａ内に落ちることを防止している。
【００８３】
さらに、上部キャップＢ１ｃを回転すると、図１１（ａ）に示すように、上部キャップＢ１ｃの内筒６下端の回り止め突部７０の傾斜部７０ａが、下部キャップＢ２ｃの内筒１５ｃ内周の突部１９ｃに当接し、突部１９ｃを僅かに押下げながら回転する。
回転が進み、回り止め突部７０の下端と突部１９ｃとの当接が外れると、図１１（ｂ）に示すように、突部１９ｃは復元し、図１１（ｃ）に示すように、内筒６下端の押下げ突部９の側面が、突部１９ｃの側面に当接し、上部キャップＢ１ｃの回転を終了させる。
【００８４】
内容物を使用する際には、容器本体ＡからキャップＢｃを外す際には、上部キャップＢ１ｃを把持して逆回転する。
図１１（ｂ）に示すように、下部キャップＢ２ｃの突部１９ｃの側面が、上部キャップＢ１ｃの回り止め突部７０の側面に当接するので、上部キャップＢ１ｃとともに下部キャップＢ２ｃも回転させることができ、キャップＢｃを開蓋することができる。  
その他の作用効果は、実施例１、および３と同じである。
【００８５】
前記各実施例では、上部キャップと下部キャップのねじの方向を同一の右ねじとしたが、上部キャップの回転操作時に、下部キャップが回転しないようにするため、容器口筒部に下部キャップに対する回転止め手段を配設してもよく、また、上部キャップのねじと下部キャップのねじとを逆方向のねじとしてもよい。
【産業上の利用可能性】
【００８６】
本発明の二剤混合容器は、容器本体と、上部キャップと下部キャップと底蓋とからなるキャップにおいて、上部キャップを下部キャップに対して回転させて、上部キャップ内方に保持した第二剤収納容器のシートを切断して開口するとともに、底蓋を開口し、第二剤を容器本体内に落下させて第一剤と混合させるようにしているので、運搬時の衝撃により、シートが破けて第二剤が第一剤と混合してしまうということを防止することができる。
また、本発明の混合容器は容器内の密封性も高く、飲料品、食料品、化粧品、香料、薬品、その他の混合容器として、広く利用することができる。
【図面の簡単な説明】
【００８７】
【図１】本発明の第１実施例の二剤混合容器の断面立面図である。
【図２】二剤混合容器の上部キャップ回転時の断面立面図である。
【図３】二剤混合容器の上部キャップ回転終了時の断面立面図である。
【図４】本発明の第２実施例の二剤混合容器の断面立面図である。
【図５】二剤混合容器の上部キャップ回転終了時の断面立面図である。
【図６】本発明の第３実施例の二剤混合容器の断面立面図である。
【図７】二剤混合容器の上部キャップ回転終了時の断面立面図である。
【図８】本発明の第４実施例の二剤混合容器の断面立面図である。
【図９】二剤混合容器の図８のＡ−Ａ線における切断上面図である。
【図１０】二剤混合容器の上部キャップ回転終了時の断面立面図である。
【図１１】二剤混合容器の上部キャップ回転時の上部キャップの回り止め突部の説明図で、（ａ）は下部キャップの突部に当接時、（ｂ）は下部キャップの突部に当接が外れた時、（ｃ）は回転終了時である。
【符号の説明】
【００８８】
Ａ              容器本体
Ｂ、Ｂａ、Ｂｂ、Ｂｃ  キャップ
Ｂ１、Ｂ１ａ、Ｂ１ｂ、Ｂ１ｃ  上部キャップ
Ｂ２、Ｂ２ａ、Ｂ２ｂ、Ｂ２ｃ  下部キャップ
Ｂ３、Ｄ、Ｅ、Ｆ  底蓋
Ｃ              収納容器
Ｄ１、Ｅ１、Ｆ１  係合筒
Ｄ２            ヒンジ
Ｄ３、Ｅ２、Ｆ２  蓋体
１              口筒部
２、１０、１８、２３  ねじ
５              頂壁
６、１５、１５ａ、１５ｂ、１５ｃ  内筒
７              外筒
８              保持部
９              押下げ突部
１１、６０、８０  連結片
１２            封緘帯
１３            つまみ部
１６、１６ｂ、１６ｃ  上壁
１７、１７ｂ、１７ｃ  外筒
１９、１９ｃ    突部
２０、２０ｃ    上向き破断刃
２１            先端部
２２            吊り下げ部材
２５、４５      周壁
２６、５１、６４、８４  底壁
２７、４７、５２、６５、８５  フランジ
２８、７７      係合凹部
２９            係合孔
３０            引っ掛かり部
３５            容器部
３６            フランジ
３７            シート
４０            係合部
４１、４６、５５、６２、７６、８２、８６  係合突条
５０、６３、８３  係合周壁
６１、８１      弱化片
７０            回り止め突部
７０ａ          傾斜部
７５            係合筒
７８            縦リブ
８７            位置合せ凹部
【図１】
0005269325.tif 000002
【図２】
0005269325.tif 000003
【図３】
0005269325.tif 000004
【図４】
0005269325.tif 000005
【図５】
0005269325.tif 000006
【図６】
0005269325.tif 000007
【図７】
0005269325.tif 000008
【図８】
0005269325.tif 000009
【図９】
0005269325.tif 000010
【図１０】
0005269325.tif 000011
【図１１】
0005269325.tif 000012